(57)【要約】【課題】スクロール式流体機械において、駆動軸に横荷重が作用した状態にあっても円滑な圧縮作動を可能にする。【解決手段】ハウジング１と、ハウジング１内に形成される固定ラップ７１を立設してなる固定スクロール７と、ハウジング１の後側に固定されるベアリングケース５と、ベアリングケース５に回転可能に枢支され、前部に偏心軸部６１を有する駆動軸６と、ベアリングケース５の後部から突出する後端部に止着され、伝動ベルト１７が掛け回される従動プーリ１２と、偏心軸部６１に枢支され、固定スクロール７に対向する面に固定ラップ７１と噛合する旋回ラップ８１を有する旋回スクロール８とを備え、ベアリングケース５の下部に、台座２０に固定される脚部５４を固定または一体的に形成する。【選択図】  図３
2013160063.tif 000002
【特許請求の範囲】
【請求項１】
ハウジングと、
前記ハウジング内に形成される固定ラップを立設してなる固定スクロールと、
前記ハウジングの後側に固定されるベアリングケースと、
前記ベアリングケースに回転可能に枢支され、前部に偏心軸部を有する駆動軸と、
前記ベアリングケースの後部から突出する後端部に止着され、伝動ベルトが掛け回されるプーリと、
前記駆動軸の前記偏心軸部に枢支され、前記固定スクロールに対向する面に前記固定ラップと噛合する旋回ラップを有し、前記駆動軸の回転により公転運動し前記固定ラップと前記旋回ラップとが互いに噛合することによって、前記旋回ラップと前記固定ラップの間に圧縮室を形成する旋回スクロールとを備え、
前記ベアリングケースの下部に、固定体に固定される脚部を固定または一体的に形成したことを特徴とするスクロール式流体機械。
【請求項２】
ハウジングと、
前記ハウジング内に形成される固定ラップを立設してなる固定スクロールと、
前記ハウジングに固定されるベアリングケースと、
前記ベアリングケースに回転可能に枢支されると共に、偏心軸部を有する駆動軸と、
前記駆動軸の前記偏心軸部に枢支され、前記固定スクロールに対向する面に前記固定ラップと噛合する旋回ラップを有し、前記駆動軸の回転により公転運動し前記固定ラップと前記旋回ラップとが互いに噛合することによって、前記旋回ラップと前記固定ラップの間に圧縮室を形成する旋回スクロールとを備え、
前記ベアリングケースに、固定体に固定される脚部を固定または一体的に形成したことを特徴とするスクロール式流体機械。
【請求項３】
前記ハウジングは、前記固定体に固定される脚部を有しないことを特徴とする請求項１または２記載のスクロール式流体機械。
【発明の詳細な説明】
【技術分野】
【０００１】
本発明は、空気圧縮機、真空ポンプ等に用いて好適なスクロール式流体機械に関する。
【背景技術】
【０００２】
スクロール式流体機械は、ハウジングと、当該ハウジングに固定されるベアリングケースと、ハウジング内に設けられる固定スクロールと、ベアリングケース内に回転可能に支持され、電動機により回転可能な駆動軸と、当該駆動軸に設けられた偏心軸に枢支され、駆動軸の回転によって公転運動可能な旋回スクロールとを備え、駆動軸の回転による旋回スクロールの公転運動によって、固定スクロールの固定ラップと旋回スクロールの旋回ラップとを互いに噛み合わせることにより、旋回ラップと固定ラップの間に三日月状の圧縮室を形成し、当該圧縮室の容積を変えながら吸入、圧縮、吐出を行うものとして知られている。
【０００３】
そして、駆動軸を駆動させるため、駆動軸の端部に従動プーリを止着し、当該従動プーリに電動機に設けられた主動プーリに掛け回された電動ベルトを掛け回すことによって、電動機の回転を伝動ベルトを介して駆動軸に伝達する構成が採用される（例えば、特許文献１参照）。
【先行技術文献】
【特許文献】
【０００４】
【特許文献１】特開２００５−２８２４９５号公報
【発明の概要】
【発明が解決しようとする課題】
【０００５】
しかし、上記特許文献１に記載された従来技術においては、ハウジングに脚部を設け、当該脚部を台座等の固定体に固定することによって、スクロール式流体機械を固定体に固定するようにしているため、伝動ベルトの張力が従動プーリを介して駆動軸の端部に軸に直角な方向の荷重（以下、「横荷重」と記す）が作用すると、ハウジングに設けた脚部が力の支点となって脚部を含むハウジング全体に固定曲げモーメントが作用し、固定ラップと旋回ラップとの互いの噛合位置にずれが生じ、旋回スクロールの公転運動中、旋回ラップの側面が固定ラップの側面に必要以上に大きな力で接触し、これが原因で異音が発生する現象（以下、この現象を「かじり現象」と記す）が起き、円滑な圧縮作動を得られないだけでなく、両ラップの破損、ひいてはスクロール式流体機械全体の故障を招く虞がある。
【０００６】
本発明は、上記課題に鑑み、駆動軸に横荷重が作用した状態にあっても円滑な圧縮作動を可能にしたスクロール式流体機械を提供することを目的としている。
【課題を解決するための手段】
【０００７】
上記課題を解決するため、第１の発明は、ハウジングと、前記ハウジング内に形成される固定ラップを立設してなる固定スクロールと、前記ハウジングの後側に固定されるベアリングケースと、前記ベアリングケースに回転可能に枢支され、前部に偏心軸部を有する駆動軸と、前記ベアリングケースの後部から突出する後端部に止着され、伝動ベルトが掛け回されるプーリと、前記駆動軸の前記偏心軸部に枢支され、前記固定スクロールに対向する面に前記固定ラップと噛合する旋回ラップを有し、前記駆動軸の回転により公転運動し前記固定ラップと前記旋回ラップとが互いに噛合することによって、前記旋回ラップと前記固定ラップの間に圧縮室を形成する旋回スクロールとを備え、前記ベアリングケースの下部に、固定体に固定される脚部を固定または一体的に形成したことを特徴とする。
【０００８】
第２の発明は、ハウジングと、前記ハウジング内に形成される固定ラップを立設してなる固定スクロールと、前記ハウジングに固定されるベアリングケースと、前記ベアリングケースに回転可能に枢支されると共に、偏心軸部を有する駆動軸と、前記駆動軸の前記偏心軸部に枢支され、前記固定スクロールに対向する面に前記固定ラップと噛合する旋回ラップを有し、前記駆動軸の回転により公転運動し前記固定ラップと前記旋回ラップとが互いに噛合することによって、前記旋回ラップと前記固定ラップの間に圧縮室を形成する旋回スクロールとを備え、前記ベアリングケースに、固定体に固定される脚部を固定または一体的に形成したことを特徴とする。
【０００９】
第３の発明は、第１または第２の発明において、前記ハウジングは、前記固定体に固定される脚部を有しないことを特徴とする。
【発明の効果】
【００１０】
本発明によると、駆動軸を回転可能に支持するためのベアリングケースに脚部を固定または一体形成したことによって、駆動軸に横荷重が作用した状態にあっても、固定ラップと旋回ラップとの互いの噛合位置のずれを最小限に抑えて、常に円滑な圧縮作動を得ることが可能となる。
【図面の簡単な説明】
【００１１】
【図１】本発明におけるスクロール式流体機械の正面図である。
【図２】同じくスクロール式流体機械の外観斜視図である。
【図３】図１におけるIII−III線縦断面図である。
【図４】他の実施例の要部の断面図である。
【発明を実施するための形態】
【００１２】
以下、本発明の一実施形態を図面に基づいて説明する。なお、以下の説明においては、図１の図面手前側、図３の左側をスクロール式流体機械の「前側」とし、図１の図面奥側、図３の右側をスクロール式流体機械の「後側」と定義する。
【００１３】
スクロール式流体機械は、例えばアルミ合金等で成形される後側の筐体２及び当該筐体２の前側に複数のボルトにより固定される例えばアルミ合金等で成形される前側の蓋体３を含むハウジング１と、筐体３の後面に複数のボルト４により固定され、ハウジング１に比して高強度の例えば鋳物等によって成形されるベアリングケース５とを備える。
【００１４】
蓋体３の後方を向く内面には、渦巻状の固定ラップ７１を後方へ立設してなる固定スクロール７、また同じく前面には、多数の冷却フィン７４が設けられる。
【００１５】
ハウジング１内、すなわち筐体２と蓋体３との間に形成される空間には、固定スクロール７に対向する前面に渦巻状の旋回ラップ８１を立設した旋回スクロール８が設けられる。旋回スクロール８は、ベアリングケース５内に回転自在に支持される前後方向の駆動軸６の前端部に形成された偏心軸部６１に枢支される。
【００１６】
駆動軸６は、ベアリングケース５内に前後方向へ互いに所定量離間して設けられる前後のボールベアリング１０、１１によって回転可能に枢支されると共に、前端部には前述の偏心軸部６１、また前部外周にはバランスウェイト部６２がそれぞれ一体形成される。また、ベアリングケース５の後端から突出する駆動軸６の後端部には、従動プーリ１２がボルト１３により止着される。従動プーリ１２には、スクロール式流体機械の下方に設置される電動機（図示略）の出力軸に止着された主動プーリ（図示略）に下部が掛け回された無端状の伝動ベルト１７の上部が掛け回される。これにより、電動機の回転は、主動プーリ、伝動ベルト１９及び従動プーリ１２を介して駆動軸６に伝達される。
【００１７】
旋回スクロール８の後面には、多数の冷却フィン８２が設けられると共に、複数のボルト１５をもって円板状の旋回プレート１４が固定される。旋回プレート１４と筐体２の後側面との間には、旋回スクロール８の自転運動を阻止しつつ公転運動させるための複数の自転防止機構９が旋回プレート１４、すなわち旋回スクロール８の周方向に沿って等間隔で設けられる。
【００１８】
従動プーリ１２には、駆動軸６と一体になって回転し、固定スクロール７、旋回スクロール８等を冷却するための遠心ファン１８が止着される。また、ベアリングケース５の後面には、遠心ファン１８を覆うファンカバー１９が固定される。なお、図２は、説明の便宜上、伝動ベルト１７、遠心ファン１８及びファンカバー１９を取り外した形態を示す。
【００１９】
ベアリングケース５に枢支された駆動軸６が電動機により回転すると、旋回スクロール８は公転運動を行い、これに伴って、固定ラップ７１と旋回ラップ８１とにより仕切られた三日月状の圧縮室１６の容積が外周側から内周側に向かって漸次減少し、吸入、圧縮、吐出を繰り返す。これにより、蓋体３の前面上部に設けられた吸入口７２から圧縮室１６に吸気された外部気体は、内周側に向かって漸次圧縮され、蓋体３の中心部に設けられた吐出口７３から最終的に圧縮気体として外部へ吐出される。
【００２０】
ベアリングケース５は、前後方向を向く円筒部５１と、円筒部５１の前部外周に設けられ、ボルト４により筐体３の後面に固定されるフランジ部５２と、フランジ部５２から下方へ延出する延長部５３の下部に一体的に形成される左右の脚部５４と、円筒部５１の外周面とフランジ部５２の後面間の隅部に設けられ、ベアリングケース５全体の剛性を高める複数のリブ５５とを一体形成してなる。左右の脚部５４は、固定体をなす台座２０に複数のボルト２１により固定されることによって、スクロール式流体機械を台座２０に固定する。
【００２１】
なお、本実施形態においては、図３に示されるように、左右の脚部５４をベアリングケース５の下部に一体的に形成したが、本発明は、本実施形態に限定されるものでなく、図４に示す他の実施例のように、ベアリングケース５と脚部５４０とを互いに別体で構成し、ベアリングケース５の下部５０を左右の脚部５４０に設けた凹部５４１に嵌合することによって、脚部５４０をベアリングケース５に固定するようにしても良い。また、この場合は、脚部５４０をベアリングケース５の下部５０にボルト（図示略）により着脱可能に固定することによって、スクロール式流体機械を使用する環境に合わせて脚部５４０を他の脚部に交換することが可能となる。
【００２２】
本実施形態によると、上述のように、駆動軸６を回転可能に支持したベアリングケース５に脚部５４（または５４０）を設け、当該脚部５４（または５４０）を台座２０に固定したことによって、電動ベルト１７の張力が駆動軸６の後端部に横荷重として作用しても、駆動軸６がハウジング１に比して強度的に優れたベアリングケース５によって支持されることと相俟って、伝動ベルト１７の張力が従動プーリ１２を介して駆動軸６の後端部に横荷重が作用しても、横荷重の作用線Ａと支点（脚部５４（または５４０）が台座２０に固定される点）Ｂ間のモーメントアームｒは、従来技術のように脚部を作用線Ａから大きく離れた位置にあるハウジングに設けた構成に比して、短くすることができる。これにより、脚部５４（または５４０）を含むベアリングケース５に作用する固定曲げモーメントを従来技術よりも格段に小さくすることができ、ベアリングケース５の傾動を抑えて駆動軸６の軸方向への傾動を従来技術よりも格段に抑えることができる。
【００２３】
さらには、駆動軸６の後端部に作用する横荷重は、ベアリングケース５の脚部５３に直接伝達されることから、台座２０に固定されないハウジング１に対しては固定曲げモーメントは伝達されない構成とすることができる。よって、仮に、駆動軸６に作用する横荷重が過大であって、仮に駆動軸６がベアリングケース５と共に軸方向に対して微少傾動したとしても、ハウジング１は、ベアリングケース５共に微少傾動するものであるから、従来技術のようにハウジング１を台座２０に直接固定した構成に比して、固定ラップ７１と旋回ラップ８１との互いの噛合位置関係にずれは発生し難い。これによって、駆動軸６の後端部に横荷重が作用した状態にあっても、固定ラップ７１と旋回ラップ８１との互いの噛合位置のずれを最小限に抑えて、かじり現象を防止して常に円滑な圧縮作動を得ることができる。
【００２４】
以上、本発明の各実施形態について説明したが、本発明の要旨を逸脱しない範囲内で、各実施形態に種々の変形や変更を施すことが可能である。
（ｉ）ベアリングケース５と筐体２の一部又は全体とを一体成形する。
（ii）脚部５４０をベアリングケース５に固定する図４に示す構造に代えて、ベアリングケース５の下部に凹部（図示略）を設け、当該凹部に脚部５４０を下方から嵌め込んで固定するものとする。
【符号の説明】
【００２５】
１  ハウジング
２  筐体
３  蓋体
５  ベアリングケース
６  駆動軸
７  固定スクロール
８  旋回スクロール
９  自転防止機構
１０、１１  ボールベアリング
１２  従動プーリ
１４  旋回プレート
１５  ボルト
１６  圧縮室
１７  伝動ベルト
２０  台座
５１  円筒部
５２  フランジ部
５３  延長部
５４、５４０  脚部
５４１  凹部
５５  リブ
５６  下部
６１  偏心軸部
７１  固定ラップ
７２  吸入口
７３  吐出口
８１  旋回ラップ
【図１】
2013160063.tif 000003
【図２】
2013160063.tif 000004
【図３】
2013160063.tif 000005
【図４】
2013160063.tif 000006